(57)【特許請求の範囲】
【請求項１】
溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼鍋昇降装置の天板を上下二重の天板とし、上側天板を着脱自在にしたことを特徴とするＲＨ式真空脱ガス装置。
【請求項２】
溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼台車の前記溶鋼鍋昇降装置側前面に、前記真空槽の浸漬管から溶鋼鍋昇降装置の天板に落下して堆積している大塊状の地金をすくい取る手段と、小塊状の地金をかき取る手段とを設けたことを特徴とするＲＨ式真空脱ガス装置。
【請求項３】
溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼台車が溶鋼鍋昇降装置の位置に進出するにともなって、溶鋼鍋昇降装置の位置から退去し、溶鋼台車が溶鋼鍋昇降装置の位置から退去するにともなって、溶鋼鍋昇降装置の位置に進出する溶鋼鍋昇降装置の天板を覆う蓋体を備えたことを特徴とするＲＨ式真空脱ガス装置。
【請求項４】
前記蓋体が走行レ−ル上を走行し、蓋体に堆積した地金は前記走行レ−ルに設けた前記溶鋼鍋昇降装置に向かう降り傾斜を利用して、溶鋼鍋昇降装置の回りに設けた地金ピットに排出するように構成したことを特徴とする請求項３に記載のＲＨ式真空脱ガス装置。
【請求項５】
溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記鍋受台の底部を二重構造とし、該二重構造部分を着脱可能としたことを特徴とするＲＨ式真空脱ガス装置。
【発明の詳細な説明】
【０００１】
【発明の属する技術分野】
本発明は、溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置に関し、特に脱ガス後に真空槽の浸漬管から溶鋼鍋昇降装置の天板上にしたたり落ちる溶鋼のしずくが固まってできる地金により溶鋼鍋昇降装置の天板や鍋受台の底部が大きく変形しないとともに、溶鋼鍋昇降装置の天板や鍋受台の底部が変形しても容易に取り替えができるＲＨ式真空脱ガス装置に関する。
【０００２】
【従来の技術】
ＲＨ式真空脱ガス装置において、溶鋼中の脱ガスを行うときには、図５（ａ）に示すように、溶鋼３１の入った溶鋼鍋３２を、溶鋼台車３３の鍋受台３４に受けて、下部に２本の浸漬管３５ａおよび３５ｂが設けられている真空槽３６の真下まで搬入する。そして、図５（ｂ）に示すように、溶鋼鍋昇降装置３７により溶鋼鍋３２を鍋受台３４ごと上昇させて、真空槽３６の２本の浸漬管３５ａおよび３５ｂが、溶鋼３１中に浸漬されている状態にする。
【０００３】
上記のような状態を維持しつつ、一方の浸漬管３５ａまたは３５ｂからＡｒガスを溶鋼３１中に吹き込み、ガスリフトポンプの原理で溶鋼３１を溶鋼鍋３２と真空槽３６の間を循環させ、溶鋼３１を真空に接触させることにより、脱ガスが行われる。
【０００４】
脱ガスが終了すると、図６に示すように、溶鋼鍋昇降装置３７により溶鋼鍋３２を下に降ろし、溶鋼台車３３で所定の位置に移送する。
【０００５】
溶鋼台車３３が真空槽３６の位置から移動すると、真空槽３６と溶鋼鍋昇降装置３７の天板３７ａとの間には、何も遮るものがないので、浸漬管３５ａおよび３５ｂに付着している溶鋼３１が、しずく３１ａとなって溶鋼鍋昇降装置３７の天板３７ａ上に落下し、天板３７ａ上で冷却されて地金３１ｂとなり、天板３７ａ上に地金３１ｂの塊が多数堆積する。
【０００６】
上述したような、溶鋼鍋昇降装置３７の天板３７ａ上に堆積する地金３１ｂは、従来人力によりかき取るようにしている。
【０００７】
【発明が解決しようとする課題】
しかしながら、上述した従来の溶鋼鍋昇降装置の天板上に堆積する地金を除去する方法には、次のような問題点がある。
【０００８】
（１）図７（ａ）に示すように、地金３１ｂが溶鋼鍋昇降装置３７の天板３７ａ上に堆積した後に除去するので、天板３７ａが熱により変形する。
【０００９】
（２）図７（ｂ）に示すように、天板３７ａが変形すると、地金３１ｂを天板３７ａ上から完全に除去することが困難になる。そして、地金３１ｂが残留している状態で、溶鋼鍋３２を溶鋼鍋昇降装置３７で持ち上げると、持ち上げた物の自重で地金３１ｂが天板３７ａに圧着されたり、地金３１ｂが鍋受台３４と天板３７ａとの間に噛み込まれて、天板３７ａの変形が助長される。
【００１０】
（３）図７（ｃ）に示すように、溶鋼鍋昇降装置３７を下降させて、溶鋼鍋３２と鍋受台３４を天板３７ａから移動するときに、天板３７ａ端部に残留している地金３１ｂが、溶鋼鍋昇降装置３７のピット３８内に落下する。なお、このような現象は、溶鋼鍋昇降装置３７を上昇させるときにも発生する。
【００１１】
（４）図７（ｄ）に示すように、溶鋼鍋昇降装置３７を下降させるときに、地金３１ｂが天板３７ａとピット３８の縁に噛み込まれて、天板３７ａの変形がさらに大きくなる。
【００１２】
この発明は、従来技術の上述のような問題点を解消するためになされたものであり、溶鋼鍋昇降装置の天板および溶鋼台車の鍋受台を大きく変形させないＲＨ式真空脱ガス装置を提供することを目的としている。
【００１３】
【課題を解決するための手段】
この発明に係る第一のＲＨ式真空脱ガス装置は、溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼鍋昇降装置の天板を上下二重の天板とし、上側天板を着脱自在にしたものである。
【００１４】
このＲＨ式真空脱ガス装置においては、溶鋼鍋昇降装置の天板を着脱自在としているので、天板の変形量が小さい時点において、天板を取り換えることができる。したがって、天板上の地金の除去が容易にできるので、天板上に地金が残留せず、天板の変形が助長させることはない。
【００１５】
また、この発明に係る第二のＲＨ式真空脱ガス装置は、溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼台車の前記溶鋼鍋昇降装置側前面に、前記真空槽の浸漬管から溶鋼鍋昇降装置の天板に落下して堆積している大塊状の地金をすくい取る手段と、小塊状の地金をかき取る手段とを設けたものである。
【００１６】
このＲＨ式真空脱ガス装置においては、溶鋼台車に天板上に堆積する地金をすくい取ったり、かき取る手段を設けているので、溶鋼台車が溶鋼鍋昇降装置に接近する度に、天板上の地金をすくい取ったり、かき取ったりして除去することができる。したがって、地金除去のための要員を必要としないとともに、天板の変形を小さくすることができる。
【００１７】
また、この発明に係る第三のＲＨ式真空脱ガス装置は、溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記溶鋼台車が溶鋼鍋昇降装置の位置に進出するにともなって、溶鋼鍋昇降装置の位置から退去し、溶鋼台車が溶鋼鍋昇降装置の位置から退去するにともなって、溶鋼鍋昇降装置の位置に進出する溶鋼鍋昇降装置の天板を覆う蓋体を備えたものである。
【００１８】
また、前記蓋体が走行レ−ル上を走行し、蓋体に堆積した地金は前記走行レ−ルに設けた前記溶鋼鍋昇降装置に向かう降り傾斜を利用して、溶鋼鍋昇降装置の回りに設けた地金ピットに排出するように構成したものである。
【００１９】
このＲＨ式真空脱ガス装置においては、溶鋼台車と連動して移動できるようにした溶鋼鍋昇降装置の天板を覆う蓋体を設け、この蓋体に地金を堆積させ、かつ排出させるようにしているので、特別な地金除去要員を必要としないで、地金が除去できるとともに、溶鋼鍋昇降装置の天板が変形することがない。
【００２０】
また、蓋体走行用の走行レ−ルの傾斜を利用して、蓋体上に堆積した地金を地金ピットに排出するようにすることにより、さらに地金の排出作業が容易となる。
【００２１】
また、この発明に係る第四のＲＨ式真空脱ガス装置は、溶鋼中に浸漬させる浸漬管を下部に備えた真空槽と、溶鋼鍋を受ける鍋受台を搭載し溶鋼鍋を前記真空槽の真下まで搬送する溶鋼台車と、溶鋼鍋を鍋受台ごと上昇させて前記真空槽の浸漬管を溶鋼中に浸漬させる溶鋼鍋昇降装置とからなるＲＨ式真空脱ガス装置であって、前記鍋受台の底部を二重構造とし、該二重構造部分を着脱可能としたものである。
【００２２】
このＲＨ式真空脱ガス装置においては、鍋受台の底部を二重構造とし、その部分を着脱自在としているので、底部の変形量が小さい時点において、底部を取り換えることができる。
【００２３】
【発明の実施の形態】
本発明の実施の形態について、図面を参照して説明する。図１は本発明の第一の実施の形態のＲＨ式真空脱ガス装置を説明するための溶鋼鍋昇降装置の天板部分の正面図である。このＲＨ式真空脱ガス装置の溶鋼鍋昇降装置１は、天板部分を上部天板２と下部天板３とで構成し、上部天板２と下部天板３をボルト４およびナット５により接続している。
【００２４】
このＲＨ式真空脱ガス装置の溶鋼鍋昇降装置１は、上述のように構成されているので、上部天板２が地金により熱変形をしたときに、変形が大きくならない時点で上部天板２を取り替えることができる。このように、上部天板２を変形が大きくならないうちに取り替えることができるので、上部天板２上に堆積する地金を除去するとき、地金を容易に除去することができ、地金が上部天板２上に残留して、上部天板２を大きく変形させたり、地金が溶鋼鍋昇降装置１のピット内に落下することはない。
【００２５】
図２は本発明の第二の実施の形態のＲＨ式真空脱ガス装置を説明するための図であり、（ａ）は地金除去装置を備えた溶鋼台車の側面図、（ｂ）はこの溶鋼台車で地金を除去している状態を示す側面図である。
【００２６】
このＲＨ式真空脱ガス装置の溶鋼台車１１には、スクレ−パ−１２とワイヤブラシ１３とからなる溶鋼鍋昇降装置１４の天板１４ａ上に堆積する地金１５を除去する装置が設けられている。この地金除去装置を詳述すると、溶鋼台車１１の溶鋼鍋昇降装置１４に近い方の前面に、スクレ−パ−１２とワイヤブラシ１３とを取り付けるための支持部材１６が固着されている。この支持部材１６には、上下方向に縦長な長孔1７が設けられており、この長孔１７に回動ア−ム１８の回動軸１９が軸支されている。
【００２７】
そして、回動ア−ム１８には取付部材２０が接続されており、この取付部材２０に前記スクレ−パ−１２とワイヤブラシ１３が取り付けられている。スクレ−パ−１２は、溶鋼鍋昇降装置１４の天板１４ａ上に堆積する地金１５のうち大きな塊状の地金１５ａを、溶鋼台車１１の進行にともなって、容易にすくい取ることができるように、前方に傾けかつ下端部を天板１４ａからやや浮かす状態で、取付部材２０に取り付けられている。また、ワイヤブラシ１３は、溶鋼鍋昇降装置１４の天板１４ａ上に堆積する地金１５のうち小さな塊状の地金１５ｂを、溶鋼台車１１の進行にともなって、かき取ることができるように、垂直下方にブラシの先端が天板１４ａに接触する状態で、取付部材２０に取り付けられている。
【００２８】
このような地金除去装置により、溶鋼鍋昇降装置１４の天板１４ａ上に堆積する地金１５ａおよび１５ｂを除去する状態を図２（ｂ）に示すが、溶鋼台車１１の進行にともなって、大塊の地金１５ａはスクレ−パ−１２ですくい取られ、小塊の地金１５ｂはワイヤブラシ１３でかき取られていく。そして、これらの地金１５ａおよび１５ｂは溶鋼鍋昇降装置１４のそばに設けてある地金ピット４０に排出される。なお、天板１４ａが熱変形していても、前述したように回動ア−ム１８の回動軸１９が、回動しながら支持部材の１６の長孔１７に沿って上下するので、地金１５ａおよび１５ｂを取り残すことはない。
【００２９】
スクレ−パ−１２は鋼板等で作られたものを、ワイヤブラシ１３は鋼製ワイヤの先端をほぐしたものを使用すればよい。
【００３０】
このＲＨ式真空脱ガス装置においては、溶鋼台車１１が溶鋼鍋昇降装置１４に近づく度に、溶鋼鍋昇降装置１４の天板１４ａ上に堆積している地金１５ａおよび１５ｂが除去されるので、天板１４ａが大きく変形することはない。
【００３１】
図３は本発明の第三の実施の形態のＲＨ式真空脱ガス装置を説明するための真空脱ガス装置全体の正面図である。このＲＨ式真空脱ガス装置の説明においては、従来と同じ構成部分については、従来のＲＨ式真空脱ガス装置の説明で使用したのと同じ符号を付し、その部分の詳細説明は省略する。このＲＨ式真空脱ガス装置においては、溶鋼台車３３と連動して移動し、脱ガス開始時には溶鋼台車３３の溶鋼鍋昇降装置３７の位置への進出にともなって溶鋼鍋昇降装置３７上面から退去し、脱ガス終了時には溶鋼台車３３の溶鋼鍋昇降装置３７の位置からの退去にともなって溶鋼鍋昇降装置３７上面を覆う蓋体２１を備えている。
【００３２】
このＲＨ式真空脱ガス装置においては、上述のような蓋体２１を備えているので、真空槽３６の浸漬管３５ａおよび３５ｂからしたたり落ちる溶鋼のしずく３１ａは蓋体２１に落ち、地金３１ｂは蓋体２１に堆積するので、溶鋼鍋昇降装置３７の天板３７ａが変形することはない。
【００３３】
なお、蓋体２１上の地金３１ｂの排出は、蓋体２１が走行車輪で走行する構造とするとともに、蓋体２１が溶鋼鍋昇降装置３７から離れる側に設ける蓋体走行レ−ル２２に、円弧状に上昇する区間２２ａを設け、この上昇区間２２ａに蓋体２１がきて、蓋体２１が傾いたときに、地金３１ｂが自然に地金ピット４０に排出できるような工夫をすればよい。また、円弧状に上昇する区間２２ａを設ける代わりに、水平レ−ルの一端にレ−ル昇降装置を設け、レ−ルを傾けるようにしてもよい。
【００３４】
図4は本発明の第四の実施の形態のＲＨ式真空脱ガス装置の説明図である。このＲＨ式真空脱ガス装置の場合、溶鋼台車の鍋受台の部分にのみ特徴があるので、その部分の説明のみにとどめる。このＲＨ式真空脱ガス装置においては、鍋受台２３の底部の構造を、内側の底板２４と外側の底板２５からなる二重構造とし、外側の底板２５は内側の底板２４にボルト２６で固定するするようにしている。そして、外側の底板２５が損傷した場合には、ボルト２６をゆるめて、外側の底板２５のみを取り替えるようにしているので、鍋受台２３全体を取り替えることはなく、修理が容易に行なえる。
【００３５】
【発明の効果】
この発明により、ＲＨ式真空脱ガス装置において、溶鋼鍋昇降装置の天板や鍋受台の底部が大きく変形することはない。
【００３６】
また、溶鋼鍋昇降装置の天板や鍋受台の底部が熱により損傷しても、容易に修理することができる。また、地金除去作業が不要になる。
【図面の簡単な説明】
【図１】本発明の第一の実施の形態ののＲＨ式真空脱ガス装置を説明するための溶鋼鍋昇降装置の天板部分の正面図である。
【図２】本発明の第二の実施の形態のＲＨ式真空脱ガス装置の説明図であり、（ａ）は地金除去装置を備えた溶鋼台車の側面図、（ｂ）はこの溶鋼台車で地金を除去している状態を示す側面図である。
【図３】本発明の第三の実施の形態のＲＨ式真空脱ガス装置を説明するための真空脱ガス装置全体の正面図である。
【図４】本発明の第四の実施の形態のＲＨ式真空脱ガス装置の説明図である。
【図５】従来のＲＨ式真空脱ガス装置の説明図であり、（ａ）は脱ガス前の状態、（ｂ）は脱ガス中の状態を示す。
【図６】従来のＲＨ式真空脱ガス装置において、脱ガス後に溶鋼のしずくが溶鋼鍋昇降装置の天板に落ちる状態を示す正面図である。
【図７】溶鋼鍋昇降装置に堆積した地金による被害の説明図であり、（ａ）は地金の堆積状態を、（ｂ）は残留地金により天板の変形が助長される状態を、（ｃ）は天板上の地金が溶鋼鍋昇降装置のピットに落下する状態を、（ｄ）は地金が天板とピットの縁との間にはさまり天板が大きく変形する状態を示す。
【符号の説明】
１  溶鋼鍋昇降装置
２  上部天板
３  下部天板
４  ボルト
５  ナット
１１  溶鋼台車
１２  スクレ−パ−
１３  ワイヤブラシ
１６  支持部材
１７  長孔
１８  回動ア−ム
１９  回動軸
２０  取付部材
２１  蓋体
２２  走行レ−ル
２２ａ  走行レ−ルの円弧状に上昇する区間
２３  鍋受台
２４  内側の底板
２５  外側の底板
２６  ボルト
【図１】
0003724251.tif 000002
【図２】
0003724251.tif 000003
【図３】
0003724251.tif 000004
【図４】
0003724251.tif 000005
【図５】
0003724251.tif 000006
【図６】
0003724251.tif 000007
【図７】
0003724251.tif 000008